(57)【要約】【課題】細長いウェブの形をしたコンビニエンスワイプを提供することを目的とする。【解決手段】互いに直列に一体的に繋げられた、複数の個別的な部分（１１）からなる材料の細長いウェブ（１０）の形で画定されたコンビニエンスワイプであって、各個別的な部分（１１）は、個別的な部分が計量配分時にその隣接物から分離されなければならないときのために制御された破壊点として動作する、前記ウェブを横切る材料の壊れやすい領域（１２）によって互いに繋げられている。【選択図】図１
2011200660.tif 000002
【特許請求の範囲】
【請求項１】
互いに直列に一体的に繋げられた、複数の個別的なワイプ部分からなる吸収性の材料の細長いウェブ（１０）の形で画定された、コンビニエンスワイプであって、各個別的なワイプ部分（１１）は、前記ウェブの全幅と前記ウェブの長さとの積よりも面積が小さくなるように形成され、隣接する個別的なワイプ部分が、前記ウェブの前記全幅に比較して小さい幅を有する壊れやすい領域（１２）によって互いに繋げられ、それにより１つの個別的なワイプ部分が分配時に隣接する個別的なワイプ部分から分離されなければならないときのために、制御された破壊点として機能し、
個別的なワイプ部分が直列に一体的に繋げられたまま、連続して積み重なるように、前記ウェブが、収納および分配のために、個別的なワイプ部分のスタックの形式で折り畳まれ、それぞれの個別的なワイプ部分が略円形であり、略四分円形状を呈するスタックを作り出せるように、それぞれの個別的なワイプ部分が、隣接するワイプ部分に一体的に繋げられたまま、複数の放射状に伸張する折り目（Ｂ、Ｃ、Ｄ）により折り畳まれ、
前記ウェブが隣接する個別的なワイプ部分間の前記壊れやすい領域で折り畳まれ、
前記個別的な部分のそれぞれが円形であり、概して四分円形状の部分のスタックを作り出せるように複数の放射状に伸張する折り目の回りで折り畳まれ、
前記放射状に伸張する折り目のうちの第一の折り目（Ｂ）が、それぞれの個別的なワイプ部分の中心を横切って、前記ウェブの長手方向軸の直交方向に延びるように設けられ、前記放射状に伸張する折り目のうちの第二の折り目（Ｃ）および第三の折り目（Ｄ）が、それぞれの個別的なワイプ部分の前記第一の折り目（Ｂ）の両サイドに対して４５度偏位し、
それぞれの個別的なワイプ部分が、前記第一の折り目に対しては反対方向に折り畳まれ、前記第二および第三の折り目に対して同じ方向に折り畳まれることを特徴とするコンビニエンスワイプ。
【発明の詳細な説明】
【技術分野】
【０００１】
本発明はコンビニエンスワイプに関する。
【背景技術】
【０００２】
本明細書に使用される用語「コンビニエンスワイプ」は、紙製であるのか、あるいは他の材料から作られているのかに関係なく、吸収性であるのかどうかに関係なく、および通常乾燥した状態で示されるのか、湿った状態で示されるのか、あるいは濡れた状態で示されるのかに関係なく、必ずしもそれだけではないがおもに清掃機能または衛生的な機能用の本質的に使い捨て性質の製品を対象とすることを目的としており、したがってたとえばティッシュペーパー、キッチンペーパー、トイレットペーパー、ハンドタオル、フェースタオル、クリーニングワイプス、および赤ちゃん用ウェットティッシュを含むであろう。該用語は使い捨てのよだれかけおよびメモ用紙などの製品を対象とすることも目的としている。
【発明の概要】
【０００３】
本発明は、直列に互いに一体化して繋げられている非常に多数の個別的な部分を備える材料の細長いウェブの形をしてここに定義されるようなコンビニエンスワイプを提供し、それぞれの個別的な部分は、該ウェブに沿ったその長さで乗算された該ウェブを横切るその総幅の積未満である面積を有するように形作られ、隣接する個別的な部分は、該ウェブを横切るその幅が該ウェブの該総幅と比べて小さい材料の壊れやすい領域によって互いに繋げられ、それによって個別的な部分が計量配分時にその隣接部から分離されなければならない。
【０００４】
一例として、本発明の実施形態は、ここで添付図面を参照して説明されるであろう。
【図面の簡単な説明】
【０００５】
【図１】本発明によるコンビニエンスワイプの形を描いている。
【図２】図１のウェブを重なるように折り畳む１つの方法を描いている。
【図３】図１のウェブを重なるように折り畳む１つの方法を描いている。
【図４】一度に図１に図示されるウェブの内の４つを形成する一つの方法を描いている。
【図５】本発明によるコンビニエンスワイプの概略の形式を描いている。
【図６】本発明によるコンビニエンスワイプの概略の形式を描いている。
【図７】図４に図示されるウェブに類似するウェブ用の計量配分装置の形式を描いている。
【図８】図１に図示されるウェブの代替の折り畳み方法およびスタックのための計量配分装置を描いている。
【図９】図１に図示されるウェブの代替の折り畳み方法およびスタックのための計量配分装置を描いている。
【図１０】図１に示されるウェブの折り畳みのさらに別の代替方法、およびスタックのための計量配分装置を示す。
【図１１】図１に示されるウェブの折り畳みのさらに別の代替方法、およびスタックのための計量配分装置を示す。
【図１２】図１に示されるウェブの折り畳みのさらに別の代替方法、およびスタックのための計量配分装置を示す。
【図１３】計量配分装置の種々の形態を示している。
【図１４】計量配分装置の種々の形態を示している。
【図１５】計量配分装置の種々の形態を示している。
【図１６】計量配分装置の種々の形態を示している。
【図１７】計量配分装置の種々の形態を示している。
【図１８】計量配分装置の種々の形態を示している。
【図１９】コンビニエンスワイプの代替の形態を示している。
【発明を実施するための形態】
【０００６】
図１のコンビニエンスワイプは連続長の材料、つまりウェブ１０で形成される。材料自体は任意の適切な合成物である場合があるが、典型的には紙をベースにし、１つの山または複数の山から構成される。図１で分かるように、ウェブ１０は直列に結合される概して円形状の非常に多数の個別的な部分１１を備えるように形作られる。それぞれの個別的な部分１１は、材料１２の薄いストリップによってすぐ前後のその隣接する部分のそれぞれに繋げられる。材料１２のこれらのストリップは壊れやすくあるためにウェブを横切った総幅と比較されると、幅がかなり縮小されるものとなるように設計される。壊れやすいストリップ１２は、このようにしてそれぞれの個別的な部分１１が計量配分時にその隣接部から分離されなければならないときのための制御された破壊点の機能を果たす。
【０００７】
ここで壊れやすいストリップ１２の幅は、ウェブ１０を横切る総幅のほぼ６分の１である。言うまでもなく、これは使用される特定の材料などの要因に応じて変えられてよい。また、個別的な部分は、互いに壊れやすい領域を形成する２つまたは３つ以上の壊れやすいストリップによって互いに繋げられてよい。壊れやすいストリップが存在することにより、従来のペーパータオルのロールの連続する個別的な部分のあいだの分離を支援する昔からある方法である、ウェブを横切るあらゆるパーフォレーション(perforation)に対するニーズが取り除かれることが理解されるであろう。
【０００８】
ウェブを、たとえばそれが製紙機械のワイヤ上にあるあいだにそれが実際に形成されているように図１に図示される特定の形状で製造することが可能である場合がある。代わりに、形状は、正常に形成されたウェブ上での切削動作によって達成されてよい。その場合、切り取られた損耗高は容易にリサイクルし、製造の時点でのウェブ形成プロセスに戻すことができる。
【０００９】
図４は、どのようにして４つのウェブ１０がウェブを横切って並んで一度に形成できるのかを示す。また、この図解では、従来の矩形ロールと比較してどのようにして材料の約２０％の節約ができるかが分かるであろう。
【００１０】
それが、効果的な作業領域であるのはペーパータオルの中心の円形部分だけにすぎず、従来の正方形または矩形のペーパータオルの角領域は多くの場合未使用であることが観察された。したがって、円形の形状のペーパータオルを作ることによって、最少量の材料を用いて、その有効性を犠牲にすることなくそれは最善に利用される。形状は環境に優しいだけではなく、美学的に美しく、費用効果もある。
【００１１】
たとえば、従来のキッチンペーパーと同じ方法で計量配分される、図１で見られるウェブ１０をロールに保管することが可能であろう。図７は、ここで概して楕円形状の個別的な部分７２を有するコンビニエンスワイプ７１を含むための計量配分装置７０の便利に携帯可能な形式を示している。それぞれの個別的な部分７２が計量配分装置７０から引き出されると、それは壊れやすいストリップ７３が壊れる前につぎの個別的な部分を半分引き出す。
【００１２】
代わりに、ウェブ１０は折り畳まれ、積み重ねられてよい。折り畳み配列の最も簡単な形式は、それらを互いに結合する壊れやすいストリップ１２をただ一回折り畳むことによって、つまり図１のそれぞれの折り目Ａに沿って、それぞれの連続する個別的な部分１１を過去のものの上に付設することを必要とするであろう。これにより概して円形の断面の個別的な部分のスタックが生まれるであろう。これのようなスタック８０は図８に描かれている。
【００１３】
図９は、図８に図示されるスタック８０を含むのに適した計量配分装置９０を示し、それは概して円形のケースの形を取る。該ケースはワイプ(wipe)として使用するための湿ったまたは濡れた状態でスタックを含むことができるので便利である。
【００１４】
さらに詳細な折り畳み配列は、ウェブ１０を横切って、つまり図１の折り目Ｂに沿って、伸びるその直径の回りでさらにそれぞれの個別的な部分１１を追加で折り畳むことを必要とするであろう。これにより概して半円形の断面の個別的な部分のスタックが生じるであろう。
【００１５】
なおさらに精密な折り畳み配列は、それぞれの個別的な部分１１を３本の直径方向に伸びる折り目に沿って折り畳むことを必要とするであろう。図１で分かるように、これらの内の１本がウェブを横切って伸張する折り目Ｂである。他の２本、折り目ＣとＤはそれぞれ折り目Ｂに対して約４５°偏位している。図２で分かるように、それぞれの個別的な部分１１はその折り目Ｂの回りで下方に折り畳まれ、その２本の他の折り目ＣとＤの回りで上方へ折り畳まれる。結果として、それぞれの個別的な部分１１は四半円の形状の平らな多層構成に折り畳まれることになる。この折り畳み動作がそれぞれの個別的な部分１１に連続して適用されると、結果として、図３で分かるように概して四分円形状の部分を有する折り畳まれた個別的な部分のスタックが生じる。
【００１６】
図５および図６は、ウェブの個別的な部分の形状の考えられる代替外形を描いている。図５ではウェブ１０ｂの個別的な部分１１ｂは菱形であるが、図５でウェブ１０ａの部分１１ａは楕円形を有する。それぞれのケースでは、図１の実施形態の方法においてのように、個別的な部分は壊れやすいストリップ１２ａ、１２ｂによって直列に互いに一体化して結合される。所望される場合、図５および図６に図示されるウェブ１０ａ、１０ｂは、図１の実施形態に関して前述された方法と類似した方法で折り畳むことができるであろう。
【００１７】
図１に図示されるウェブの代替折り畳み方法は図１０に示されている。ここでは図１に図示される折り目Ａ、Ｂ、Ｃ、およびＤに加えて、追加の折り目Ｅが使用され、折り目Ｅはウェブの長手方向軸に沿って伸張する。該折り畳む方法は、最初に折り目Ｂの回りのそれぞれの個別的な部分１１の上で折り畳むことを必要とする。個別的な部分１１は、次に、図１１で分かるように扇の方法で折り目Ｃ、ＤおよびＥの回りで交互に上下に折り畳まれる。このように扇形に折り畳まれた個別的な部分は、次に互いの上に積み重ねられ、折り目Ａの回りで壊れやすいストリップ１２を折り畳み、概して三角形をしたスタックを形成する。図１２は、上部アクセス開口部１２１がこのようにして折り畳まれたスタックを入れるのに適した、三角形をした計量配分装置１２０を示している。
【００１８】
正確にどのようにウェブが形作られ、折り畳まれているのかに応じて、それは多くの他の異なる方法で分散するために適している。たとえば図１３に図示される計量配分装置１３０は、それ自体が断面で四分円計上をしているため、図３に図示されるスタック１３の形でペーパータオルを計量配分するために適している。計量配分装置は角に取り付けることができる、または立っていることができるであろう。
【００１９】
図１４は、図３に示されるスタック１３の形でペーパータオルの２つの別々の補給品を入れるための２つの蓋付きコンパートメント１４１、１４２がある、断面が半円形である計量配分装置１４０の支柱なしで立っている形を描いている。この計量配分装置は一方のコンパートメントに乾燥したペーパータオルを入れ、他方に湿ったまたは濡れたペーパータオルを入れるために使用できるので便利である。
【００２０】
図１５の計量配分装置１５０は断面が円形であり、図３に示されるスタック１３の形でペーパータオルの４つの別々の補給品をそれぞれ保持するための４つのコンパートメントを備える。この計量配分装置は壁取り付け式であってよく、計量配分装置の中心の背を下る通路１５３を介してタンク１５２から供給される一体化された石鹸計量配分設備１５１と有効に組み合わされてよい。計量配分装置はそのハウジングを通して個別的な部分にアクセスするための単一開口部１５４を含んでよく、それぞれのスタックが使い果たされると、つぎの連続コンパートメントを開口部と位置合わせするための割り出し機構を備える。
【００２１】
図１６の計量配分装置１６０は独立して立っており、ペーパータオル１３の２つの別々のスタックが中心のアクセス開口部１６１に向かってばね仕掛けとなっている。
【００２２】
図１７の計量配分装置１７０は、長穴１７１を通して計量配分するために、その軸の回りでタオルのスタックを受け入れるように形作られた、回転自在の部分的に球形のドラムの形を取っている。この計量配分装置は図３に示されるスタックの形式のペーパータオルの補給品を入れるのに適している。
【００２３】
図１８の計量配分装置１８０では、ペーパータオルのスタックは概して輪状の形状のハウジングに保管され、ペーパータオルはばね式パドル１８２によってアクセス開口部１８１に向かって偏向されている。
【００２４】
これらの計量配分装置のすべてにおいて、設計の考え方は、ユーザにつぎの個別的な部分を呈するようにスタックを入れることである。２つは壊れやすいストリップで接続されているため、ユーザが計量配分装置から個別的な部分を引っ張ると、これによりつぎの連続する個別的な部分が計量配分装置から引かれ始める。しかしながら、壊れやすいストリップは、つぎの個別的な部分が完全に引き出される前に壊れるように設計され、該部分の十分な量を、つぎのユーザのために準備完了となるために露呈されたままにする。個別的な部分が折り畳まれ、スタックから計量配分される場合、それらの特定の折り畳み方法がこのプロセスで役立つ場合がある。
【００２５】
図１９はコンビニエンスワイプの代替の形式、ここでは使い捨てよだれかけのスタック１９０を示す。ウェブのそれぞれの個別的な部分１９１は使い捨てのよだれかけであり、前述されたようにこれらは一連の壊れやすいストリップによってすべて互いに繋がっている。個別的な部分１９１は、描かれているようによだれかけを赤ちゃんの頭の上にかぶせることができるようにここでは中心アクセス穴１９２を有する。
【００２６】
ここに説明されている技法および形は、必ずしも清掃または衛生のためではない、多くの異なる目的のためのコンビニエンスワイプを製造するために使用できることが理解されるであろう。たとえば、コンビニエンスワイプは普通紙製であってよく、メモ用紙の形であってよい。その場合、従来の「ポストイット」メモのように、個別的な部分をそれがスタックから切り離された後に固着するために使用できるそれぞれの個別的な部分を分離する、壊れやすいストリップに接着剤の層を付加することが可能である可能性がある。
【図１】
2011200660.tif 000003
【図２】
2011200660.tif 000004
【図３】
2011200660.tif 000005
【図４】
2011200660.tif 000006
【図５】
2011200660.tif 000007
【図６】
2011200660.tif 000008
【図７】
2011200660.tif 000009
【図８】
2011200660.tif 000010
【図９】
2011200660.tif 000011
【図１０】
2011200660.tif 000012
【図１１】
2011200660.tif 000013
【図１２】
2011200660.tif 000014
【図１３】
2011200660.tif 000015
【図１４】
2011200660.tif 000016
【図１５】
2011200660.tif 000017
【図１６】
2011200660.tif 000018
【図１７】
2011200660.tif 000019
【図１８】
2011200660.tif 000020
【図１９】
2011200660.tif 000021